(57)【要約】【課題】キャビネットの有無にかかわらずチューナケーブルを接続するＦコネクタを保持するテレビ受像機、放送受信装置を提供する。【解決手段】  テレビ受像機１は、表示パネル１００、チューナユニット１０１、基板１０２、チューナケーブル１０４を接続するＦコネクタ１０３、保持具２、リアキャビネット９、を備える。基板１０２は、表示パネル１００の背面に固定されている。チューナユニット１０１は、基板１０２に固定されている。Ｆコネクタ１０３は、チューナユニット１０１に固定されている。保持具２は、チューナユニット１０１を覆う本体部２０と、Ｆコネクタ１０３の根元１０９の周囲を保持する保持部３１〜３４と、保持具２をチューナユニット１０１に固定する爪４１〜４６を備える。【選択図】図３
2008244614.tif 000002
【特許請求の範囲】
【請求項１】
放送信号を入力するコネクタを有するチューナユニットと、
前記チューナユニットを含むテレビ受像機本体を覆うキャビネットと、
前記チューナユニットから入力した放送信号に基づいて、放送を表示器に表示するディスプレイと、を備えるテレビ受像機において、
前記コネクタの根元の周囲を保持する保持部を有する保持具であって、前記チューナ部に固定された保持具を前記キャビネットの内側に備え、
前記保持具は、前記チューナユニットを覆う複数の爪を備えると共に、前記爪によりチューナユニットに固定されており、
前記チューナユニットは、対向する第１面、第２面が、対向する他の面の間隔よりも狭い板状体で形成され、
前記チューナユニットのコネクタは、前記第１面、第２面以外の第３面に固定され、
前記爪のうちのいくつかは、前記第３面の側から延びて前記第１面、第２面を挟持し、
前記チューナユニットは、前記爪のうち前記第１面、第２面を挟持する爪の先をロックする凹部を、前記第１面、第２面に備え、
前記キャビネットは、前記保持部の凹凸に沿って形成されており、前記保持具と当接しているテレビ受像機。
【請求項２】
放送信号を入力するコネクタを有するチューナユニットと、
前記チューナユニットを含む装置本体を覆うキャビネットと、備える放送受信装置において、
前記コネクタの根元の周囲を保持する保持部を有する保持具であって、前記チューナユニットに固定された保持具を前記キャビネットの内側に備える放送受信装置。
【請求項３】
前記保持具は、前記チューナ部を覆う複数の爪を備えると共に、前記爪によりチューナユニットに固定されている請求項２に記載の放送受信装置。
【請求項４】
前記チューナユニットは、対向する第１面、第２面が、対向する他の面の間隔よりも狭い板状体で形成され、
前記チューナユニットのコネクタは、前記第１面、第２面以外の第３面に固定され、
前記爪のうちのいくつかは、前記第３面の側から延びて前記第１面、第２面を保持し、
前記チューナユニットは、前記爪のうち前記第１面、第２面を保持する爪の先をロックする凹部を、前記第１面、第２面に備える請求項３に記載の放送受信装置。
【請求項５】
前記キャビネットは、前記保持部の凹凸に沿って形成されており、前記保持具と当接する請求項２、３のいずれかに記載の放送受信装置。
【請求項６】
請求項２〜４のいずれかに記載の放送受信装置と、
前記チューナから入力した放送信号に基づいて、放送を表示器に表示するディスプレイと、を備えるテレビ受像機。
【発明の詳細な説明】
【技術分野】
【０００１】
本発明は、アンテナ、ケーブルテレビ網などから放送信号を入力する放送受信装置に関し、特に放送信号を入力するケーブルのコネクタの接続部を保護する構造に関する。
【背景技術】
【０００２】
従来より、放送を受信するテレビ受像機が実用化されている。このテレビ受像機は、表示パネル、チューナユニット、基板、Ｆコネクタ、アンテナから受信した放送信号を入力して所定のチャンネルの信号を選択して増幅するチューナユニットを備えている。このチューナユニットは、Ｆコネクタ部を備える。Ｆコネクタ部は、アンテナから受信した、または、ケーブルテレビ網から放送信号を入力するチューナケーブルが接続されている。
Ｆコネクタ部は、チューナ本体から突き出ているから、外力がＦコネクタ部に加わると、チューナ単体では、Ｆコネクタ部が曲がりやすい。そこで、テレビ受像機のリアキャビネットでＦコネクタ部の根元を覆うことにより、Ｆコネクタ部を保護していた。
【０００３】
一方、テレビ受像機の出荷前は、時間短縮のため、リアキャビネットをはずした状態でノイズ特性、輻射等の各種の検査をする。たとえば、アメリカの安全規格であるＦＣＣ（Federal Communications Commission）の規格等に適合するかの試験を行う。
【０００４】
特許文献１には、Ｆコネクタがテレビ受像機のリアカバーで固定された構成が開示されている。特許文献２には、検査対象である電子機器のコネクタから検査装置のコネクタを取り外すときに、電子機器のコネクタが配線基板から剥がれるのを防止するための電子機器の検査用プローブが開示されている。
【特許文献１】特開平８−７９９１号公報
【特許文献２】特開２００３−１３０９０６公報
【発明の開示】
【発明が解決しようとする課題】
【０００５】
しかしながら、テレビ受像機の出荷前の試験では、リアキャビネットをはずした状態で、かつ、チューナケーブル等をＦコネクタ部に接続した状態で行うため、どうしてもＦコネクタ部に負荷がかかってしまう。特許文献１の構成では、出荷前にリアカバーを外した状態で各種の検査をすれば、外力がＦコネクタ部に加わって、Ｆコネクタ部が曲がりやすい問題があった。Ｆコネクタ部が曲がってしまうと、リアカバーを取り付ける際に外力がかかって、商品として出荷できなくなる可能性があった。その場合には、すでに検査工程を行っているにもかかわらず、再度交換して検査するなどのわずらわしい作業が必要となり、生産効率を下げる問題があった。
【０００６】
そこで、チューナケーブルを接続するコネクタ部を、キャビネットの有無にかかわらず保護できるテレビ受像機、放送受信装置を提供することを目的とする。
【課題を解決するための手段】
【０００７】
本発明は、上述の課題を解決するための手段を以下のように構成している。
【０００８】
（１）  放送信号を入力するコネクタを有するチューナユニットと、
前記チューナユニットを含む装置本体を覆うキャビネットと、備える放送受信装置において、
前記コネクタの根元の周囲を保持する保持部を有する保持具であって、前記チューナユニットに固定された保持具を前記キャビネットの内側に備える。
【０００９】
この構成では、保持具がコネクタの根元の周囲を保持しており、この保持具は、キャビネットでなく、チューナユニットに固定されている。したがって、キャビネットの有無にかかわらず、保持具がコネクタの根元の周囲を保持することができる。よって、出荷前にリアカバーを外した状態で各種の検査をしたとしても、外力がコネクタに加わって、Ｆコネクタが曲がることはない。また、コネクタが曲がってしまって、商品として出荷できなくなる問題も生じない。
【００１０】
なお、「保持具がコネクタの根元の周囲を保持する」とは、保持具とコネクタが必ずしも常時接している必要はなく、外力が加わったときに保持できればよい。たとえば、保持具とコネクタとの間に、加工上の公差や、隙間を設けてもよい。
【００１１】
（２）  前記保持具は、前記チューナ部を覆う複数の爪を備えると共に、前記爪によりチューナユニットに固定されている。
【００１２】
前記保持具が前記爪によりチューナユニットに固定されているから、保持具をチューナ部にはめるだけで、保持具をチューナ部に固定できる。したがって、ねじ止めなど固定作業が必要ないので、このように保持具を付加しても、生産効率を下げることがない。
【００１３】
（３）  前記チューナユニットは、対向する第１面、第２面が対向する他の面の間隔よりも狭い板状体で形成され、
前記チューナユニットのコネクタは、前記第１面、第２面以外の第３面に固定され、
前記爪のうちのいくつかは、前記第３面の側から延びて前記第１面、第２面を保持し、
前記チューナユニットは、前記爪のうち前記第１面、第２面を保持する爪の先をロックする凹部を、前記第１面、第２面に備える。
【００１４】
この構成では、チューナユニットのコネクタは、第１面、第２面以外の第３面に形成されている。また、爪のうちのいくつかは、第３面から延びて、対抗する他の面の間隔よりも狭い（すなわち薄い）第１面、第２面を挟持している。したがって、爪の一部は、コネクタから最も近い第１面、第２面を挟持しているから、コネクタが受けるモーメントを受け止めることができる。また、爪のうち第１面、第２面を挟持する爪をロックする凹部を、第１面、第２面に備えているから、この爪が第１面、第２面に平行な方向に滑らない。
【００１５】
以上より、コネクタが受けるモーメントを強く受け止めることができる。したがって、キャビネットの有無にかかわらず、保持具がコネクタの根元の周囲を保持することができる。よって、出荷前にリアカバーを外した状態で各種の検査をしたとしても、外力がＦコネクタ部に加わって、コネクタ部が曲がることはない。
【００１６】
（４）  前記キャビネットは、前記保持部の凹凸に沿って形成されており、前記保持具と当接する。
【００１７】
この構成では、キャビネットを組み付けたときに、保持部の凹凸に沿って当接する。したがって、キャビネットを組み付けたときに、キャビネットは、保持部を介してコネクタ部を保護する。したがって、キャビネットがなくても、コネクタを保護できるだけでなく、キャビネットを組み付けたときに、さらに強固にコネクタを保持できる。
【００１８】
（５）  上記（１）〜（３）のいずれかに記載の放送受信装置と、
前記チューナから入力した放送信号に基づいて、放送を表示器に表示するディスプレイと、を備えるテレビ受像機の構成としてもよい。
【発明の効果】
【００１９】
本発明によれば、キャビネットの有無にかかわらず、Ｆコネクタ部を保護できるから、この状態で各種の検査をする時に、Ｆコネクタ部の屈曲を防ぐことができる。
【発明を実施するための最良の形態】
【００２０】
図１を用いて、本実施形態のテレビ受像機１の構成について説明する。図1は、テレビ受像機を視聴する表面の裏側から見た図である。なお、図１には、図３で示す保持具２の図示を省略している。
【００２１】
テレビ受像機１は、デジタル放送を受信して、受信した放送を表示器に表示する装置である。以下、テレビ受像機１の構成について説明する。テレビ受像機１は、表示パネル１００と、リアキャビネット９を備えている。また、リアキャビネット９内部に、チューナユニット１０１、基板１０２と、チューナユニットに固定されたＦコネクタ１０３を備えている。
【００２２】
表示パネル１００は、チューナユニットに入力した放送信号に基づいて、受信した放送を表示する。チューナユニット１０１は、基板１０２に半田付けされて固定されている。チューナユニット１０１は、たとえば、大きさがおよそ５０ｍｍ×６０ｍｍ×１５ｍｍ程度の板状体である。
【００２３】
Ｆコネクタ１０３（本発明のコネクタに相当する。）は、チューナ１０１に固定され、一部がリアキャビネット９の外部に突き出ている。Ｆコネクタ１０３は、外部のアンテナから放送信号を入力する。チューナユニット（本発明のチューナユニットに相当する。）は、ＩＦフィルタと、ＩＦアンプ等を備えている。ＩＦフィルタ（intermediate frequency）は制御部から指示された所定の物理チャンネルの信号を通す。ＩＦアンプは、この信号を増幅し、出力する。
【００２４】
また、リアキャビネット９の内部に、さらに、地上デジタルモジュール、ＴＶデコーダ、図示しないＯＳＤ（オンスクリーンディスプレイ）合成部、Ｄ／Ａ変換器、制御部、操作部を備える。
【００２５】
地上デジタルモジュールは、復調回路、誤り訂正回路、マルチプレクサ、バッファメモリを備えている。復調回路は、チューナユニットから入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正する。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。
【００２６】
ＴＶデコーダは、基板１０２に搭載されている。ＴＶデコーダは、地上デジタルモジュール内のバッファメモリが記憶するデータを適宜読み出す。そして、読み出したデータから映像データと音声データとを分離する。また、ＴＶデコーダは、映像データと音声データを伸長し、出力する。ＯＳＤ合成部は、ＯＳＤ用ＩＣ等で構成できる。ＯＳＤ用ＩＣ内部には、文字を表示するためのキャラクタの画像データが記録されている。制御部は、テレビ受像機１の情報などを表示するようＯＳＤ合成部にキャラクタ等を指定する。ＯＳＤ合成部は、これらの画像をＴＶデコーダで合成した信号に付加して出力する。Ｄ／Ａ変換器は、ＯＳＤ合成部で合成した映像信号をＤ／Ａ変換して表示パネル１００に出力する。
【００２７】
操作部は、リモコン、リモコン受信機を備え、テレビ受像機１の操作を受け付ける。制御部は、操作部から入力した制御入力に基づいて、テレビ受像機１のチャンネル操作等、各部の制御を行う。
【００２８】
なお、以上で示したリアキャビネット９の内部の構成は、一例であり、チューナユニット１０１に基づいて、表示パネルに映像を出力できるのであればどのような構成でもよい。例えば、リアキャビネット９の内部にアナログ放送を出力する構成としていてもよい。
【００２９】
次に、図２を用いて、チューナユニット１０１と、チューナケーブル１０４の接続について説明する。Ｆコネクタ１０３は、チューナユニット１０１内部の基板に取り付けられている。図２のとおり、接続部１０６の側面には、ねじ溝が形成されている。チューナケーブル１０４は、接続部１０５でＦコネクタ１０３に接続する。チューナケーブル１０４の接続部１０５は中空になっており、チューナケーブル１０４に対して回転可能に支持されている。接続部１０５の内側には、Ｆコネクタ１０３のねじ溝１０７と噛み合うねじ溝が形成されている。また、接続部１０５の中央には、電極１０６が突き出ている。チューナユニット１０１にチューナケーブル１０４を接続するには、電極１０６をＦコネクタ１０３の中央部に形成された穴１０８に差し込んで接続し、さらに、接続部１０５を回転させて、ねじ溝１０７にねじ止めする。
【００３０】
次に、図３を用いて、チューナユニット１０１の保持具２について説明する。図３（Ａ）は、チューナユニット１０１に保持具２を組み付けた状態の図である。また、図３（Ｂ）は、Ｆコネクタ１０３の軸方向から見た図（Ａ−Ａ矢視図）、図３（Ｃ）は図３（Ｂ）の側面図（Ｂ−Ｂ矢視図）である。
【００３１】
テレビ受像機の出荷前の試験では、リアキャビネットをはずした状態で、かつ、チューナケーブル等をＦコネクタ部に接続した状態で行うため、どうしてもＦコネクタ部に負荷がかかってしまう。保持具２は、リアキャビネット９の有無にかかわらず、Ｆコネクタ１０３が屈曲するのを防ぐものである。
【００３２】
保持具２は、たとえば、樹脂で一体成形した構成とすることができる。保持具２は、本体部２０、保持部３１〜３４、爪４１〜４６を備えている。本体部２０は、チューナユニット１０１に沿ってＬ字型の板状に形成されており、チューナユニット１０１の２面１０１１、１０１２を覆う。基板１０２の一部は、チューナユニット１０１と面一になっており、保持具２の本体部２０は、基板１０２を覆う位置まで形成されている。
【００３３】
保持部３１〜３４は、Ｆコネクタ１０３の周囲を覆って保持する爪状の突起部であり、接続部１０７のねじ部の根元１０９が倒れないよう保持する。Ｆコネクタ１０３と保持部３１〜３４の寸法公差は、マイナス公差とするか、隙間を多くとも直径で１ｍｍ以下とするのが望ましい。保持部３１〜３４がＦコネクタ１０３を固定できるようにするためである。
【００３４】
ここで、以下の説明の容易のため、３軸の座標系を定める。Ｘ軸方向、Ｙ軸方向は、基板に沿った方向とする。この２軸のうち、Ｘ軸方向は、基板１０２とチューナユニット１０１とが面一になっている面１０１２（図２参照）に沿った方向とする。Ｚ軸は、基板１０２に垂直な方向である。Ｙ軸は、Ｘ軸、Ｚ軸に垂直な方向である。なお、Ｆコネクタ１０３の軸方向は、Ｙ軸方向に沿って形成されている。以下の説明において、Ｘ軸、Ｙ軸、Ｚ軸の意味については、この説明を参照するものとする。
【００３５】
爪４１〜４６は、チューナユニット１０１をはさんで固定する。爪４１〜４４は、チューナユニット１０１の面１０１２のＸ軸方向をはさんで固定する。一般的に、チューナユニット１０１は、Ｘ方向が３辺のうち一番短く形成されており、幅が最も狭い面１０１２の両脇を爪４１〜４４がはさむことで、より強固に本体部２０をチューナユニット１０１に固定できる。爪４５、４６は、本体部２０のＬ字の両先端をチューナユニット１０１の本体に引っ掛けられている。これにより、爪４５、４６は、本体部２０を固定する。爪４５は、基板１０２に引っ掛ける。本体部２０の面２０１側は、しなるよう形成されており、本体部２０をＹ軸方向に固定する。これにより、保持部３１〜３４を、Ｆコネクタ１０３の先端から根元へ向かう方向へ、チューナユニット１０１に押し付けることができる。したがって、保持部３１〜３４がＦコネクタ１０３の根元１０９を押さえることができるので、Ｆコネクタ１０３の保持を安定させることができる。
【００３６】
なお、本体部２０は、素材自体がゴムのような弾性体でなくてもよい。たとえば、本体部２０がしなるよう形成されていればよく、薄く形成することにより結果的に弾性を有していてもよい。また、保持具２は、たとえば、樹脂で一体成形した構成としなくても、保持部３１〜３４、爪４１〜４４を固定した構成とすることができるし、一枚の板を折り曲げた板金製としてもよい。
また、図３の構成では、保持部として、４つの保持部３１を備えた構成を示したが、４つに限られない。また、保持部として根元１０９の周囲を覆う筒状体や、円錐形から中心軸をくりぬいた中空状の形状に形成してもよい。
【００３７】
次に、図４を用いて、爪４１〜４４の形状についてさらに詳しく説明する。図４は、図３のＡ−Ａ断面図である。図中カッコ内の符号は、図４では下に隠れている爪４１、４３を表している。爪４１、４３の断面形状は、爪４２、４４の形状と同様に構成する。
【００３８】
爪４１〜４４は、Ｘ軸方向内側に、凸部４１１，４２１，４３１，４４１を有している。また、爪４１〜４４は、Ｘ軸方向外側にたわむ弾性を有している。したがって、保持具２をチューナユニット１０１に押し付けて保持具２をチューナユニット１０１に組み付けると、図２の凹部６１、６３に噛み合う。このようにして、爪４１〜４４は、面１０１３、および、面１０１３と対向する面１０１４を挟持する。これにより、Ｆコネクタの軸方向（Ｙ軸方向）のみならず、Ｆコネクタ１０３に外力が加わった場合のモーメントも支持できる。
【００３９】
また、凸部４１１，４２１，４３１，４４１のうち面１０１２側に近い側の端部を４１２，４２２，４３２，４４２とする。このとき、保持具２を面１０１２に密着できるように凹部６１〜６４、端部４１２，４２２，４３２，４４２の位置関係を形成することができる。たとえば、これらの端部からの面１０１２までの距離を、凹部６１〜６４から面１０１２までの距離をより小さい公差にすることができる。このようにすれば、より強固に保持具２を基板１０２に密着でき、Ｆコネクタ１０３の根元１０９をより強力に保持できる。
【００４０】
また、以上の構成によれば、ねじ止めなどが不要であるので、組み立て工数が削減できると共に、チューナユニット１０１に付加的なねじきりをする必要がない。
【００４１】
なお、６１、６３が設けられている面１０１３、１０１４は、第1、第２の面に相当する。対向する面１０１３、１０１４は、他の面１０１１、１０１２等よりも互いの距離が短く形成されている。また、図４に示すように、爪４１、４３は、本体部２０のうち、Ｆコネクタ１０３が設けられている面１０１２の側の部分から延設されている。爪４２、４４も同様である。この面１０１２は、本発明の第３の面に相当する。爪４１〜４４は、本発明の「前記爪のうち前記第１面、第２面を挟持する爪をロックする凹部」に相当する。凸部４１１，４２１，４３１，４４１は、本発明の凹部に相当する。
【００４２】
次に、図５を用いて、第１実施形態の放送受信装置のキャビネットにおける保持具２周囲の詳細について説明する。図５は、リアキャビネット９が保持具３と当接する部分を、リアキャビネット９の内側、すなわち保持具２側から見た図である。なお、図１ではその詳細を省略している。リアキャビネット９は、保持具３と当接する部分に、チューナユニット１０１のＦコネクタ１０３を通す孔９０と、その周囲に保持部３１〜３４に沿う凹部９１〜９４を有している。凹部９１〜９４とその周囲の凹凸は、保持具２の保持部３１〜３４と、その周囲と噛み合う。したがって、リアキャビネット９を組みつけて出荷したときには、より強固にＦコネクタ１０３を保持できる。
【００４３】
以上より、リアキャビネット９がなくても、Ｆコネクタ１０３を保持できるだけでなく、リアキャビネット９を組み付けた場合には、より強固にＦコネクタ１０３を保持できる。
【００４４】
なお、本発明の実施形態として、本実施形態のテレビ受像機１は、リアキャビネット９に、保持部３１〜３４と噛み合う凹部９１〜９４がなくても、単に保持部３１〜３４との干渉を回避するようにリアキャビネット９を形成してもよい。しかし、凹部９１〜８４を備えれば、Ｆコネクタ１０３を保持する効果がより高くなる。
【００４５】
次に、図６を用いて、第１の実施形態の応用に係る第２の実施形態のＤＶＤレコーダ１Ａについて説明する。ＤＶＤレコーダは、表示パネル１００を備えていないが、ＤＶＤを読み出し、記録するＤＶＤドライブ７と、映像信号をエンコードする構成を備えている。ＤＶＤレコーダ１Ａは、Ｆコネクタ１０３から放送信号を入力し、チューナユニット１０１の出力に基づいて、所定の放送の映像信号を出力する。また、この映像信号をエンコードしてＤＶＤに記録する。第２の実施形態のＤＶＤレコーダ１Ａも、放送信号を受信して映像信号を出力するから、図６に示すように、第１実施形態で示した保持具２の構成は、第２の実施形態のＤＶＤレコーダ１Ａに応用できる。また、第１実施形態で示した凹部９１〜９４の構成は、第２の実施形態のＤＶＤレコーダ１のキャビネット９６に応用できる。
【００４６】
また、第１実施形態で示した保持具２の構成は、放送信号を受信して映像信号を出力するチューナに応用できる。また、第１実施形態で示した凹部９１〜９４の構成は、このチューナのキャビネットに応用できる。このチューナとしては、必ずしも表示パネル１００、ＤＶＤドライブを備える必要がない。
【図面の簡単な説明】
【００４７】
【図１】第１実施形態のテレビ受像機の構成を表す透視図
【図２】第１実施形態のテレビ受像機のＦコネクタとチューナケーブルを表す図
【図３】第１実施形態のテレビ受像機の保持具の構成図
【図４】第１実施形態のテレビ受像機の保持具の爪の詳細図
【図５】第１実施形態の放送受信装置のキャビネットにおける保持具と当接する部分の詳細図
【図６】第２実施形態の放送受信装置の構成を表す透視図
【符号の説明】
【００４８】
１−テレビ受像機、  ２−保持具、  ２０−本体部、  ２１−孔、
３１〜３４−保持部、  ４１〜４６−爪、
４１１、４２１、４３１、４４１−凸部、
４１２、４２２、４３２、４４２−端部、  ９−リアキャビネット、
９０−孔、  ９１，９２，９３，９４−凹部、
１００−表示パネル、  １０１−チューナユニット、
１０１１〜１０１３−面、  １０２−基板、  １０３−Ｆコネクタ、
１０４−チューナケーブル、  １０５−接続部、  １０７−ねじ溝、  １０９−根元
【図１】
2008244614.tif 000003
【図２】
2008244614.tif 000004
【図３】
2008244614.tif 000005
【図４】
2008244614.tif 000006
【図５】
2008244614.tif 000007
【図６】
2008244614.tif 000008